(57)【特許請求の範囲】
【請求項１】
通気度が５０ｃｃ／ｃｍ２／ｓｅｃよりも大きい通気部を２箇所以上備えた衣服であって、いずれか２箇所の通気部の間に位置する部位がゆとりを有し、かつゆとりを有する部位において、ゆとり量の最大値が着巾方向または着丈方向に１．１倍以上であり、かつ通気部が、着丈方向に互いに異なる位置に２箇所形成されており、かつこれら通気部同士の間隔が１５ｃｍ以上であり、かつゆとりを有する部位を構成する生地Ａにおいて、ＪＩＳ  Ｌ１０１８  ４５度カンチレバー法で測定した剛軟性が経緯平均値で１０ｍｍ以上であることを特徴とする衣服。
【請求項２】
前記通気部において、着巾方向の長さが５〜５０ｃｍの範囲内である、請求項１に記載の衣服。
【請求項３】
前記通気部以外の部位において、通気度が前記通気部より小さくかつ２０〜３５０ｃｃ／ｃｍ２／ｓｅｃの範囲内である、請求項１または請求項２に記載の衣服。
【請求項４】
ゆとりを有する部位を構成する生地Ａにおいて、目付けが２５０ｇ／ｍ２以下である、
請求項１〜３のいずれかに記載の衣服。
【請求項５】
前記通気部またはゆとりを有する部位に隣接して、ゆとりを有する部位を構成する生地Ａの１．１倍以上の目付けを有し、かつ４ｃｍ２以上の面積を有する生地Ｂが配されてなる、請求項１〜４のいずれかに記載の衣服。
【請求項６】
衣服が、上半身の一部を少なくとも覆う衣服である、請求項１〜５のいずれかに記載の衣服。
【発明の詳細な説明】
【技術分野】
【０００１】
本発明は、換気を促進し衣服内部の温度や湿度を効果的に低減可能な衣服に関する。
【背景技術】
【０００２】
従来、夏場の衣服として涼感に優れたものが求められており、種々の衣服が提案されている。例えば、特許文献１や特許文献２では、換気機能を利用して衣服内部の温度や湿度を低減する方法が提案されている。
しかしながら、これらの衣服ではその効果の点でまだ十分とはいえなかった。
【先行技術文献】
【特許文献】
【０００３】
【特許文献１】特開２００６−２０７０６５号公報
【特許文献２】特開２００６−１９３８７３号公報
【発明の概要】
【発明が解決しようとする課題】
【０００４】
本発明は、上記の背景に鑑みなされたものであり、その目的は、換気を促進し衣服内部の温度や湿度の低減効果に優れた衣服を提供することにある。
【課題を解決するための手段】
【０００５】
本発明者は、上記目的を達成するため鋭意検討した結果、衣服に通気部を２箇所以上形成し、かつこれら通気部の間に、生地巾にゆとりを有する生地を配することにより、着用者の動きによって換気を促進し衣服内部の温度や湿度を効果的に低減可能な衣服が得られることを見出し、さらに鋭意検討を重ねることにより本考案に想到した。
【０００６】
かくして、本発明によれば「通気度が５０ｃｃ／ｃｍ２／ｓｅｃよりも大きい通気部を２箇所以上備えた衣服であって、いずれか２箇所の通気部の間に位置する部位がゆとりを有し、かつゆとりを有する部位において、ゆとり量の最大値が着巾方向または着丈方向に１．１倍以上であり、かつ通気部が、着丈方向に互いに異なる位置に２箇所形成されており、かつこれら通気部同士の間隔が１５ｃｍ以上であり、かつゆとりを有する部位を構成する生地Ａにおいて、ＪＩＳ  Ｌ１０１８  ４５度カンチレバー法で測定した剛軟性が経緯平均値で１０ｍｍ以上であることを特徴とする衣服。」が提供される。
【０００７】
その際、前記通気部において、着巾方向の長さが５〜５０ｃｍの範囲内であることが好ましい。また、前記通気部以外の部位において、通気度が前記通気部より小さくかつ２０〜３５０ｃｃ／ｃｍ２／ｓｅｃの範囲内であることが好ましい。また、ゆとりを有する部位を構成する生地Ａにおいて、目付けが２５０ｇ／ｍ２以下であることが好ましい。また、前記通気部またはゆとりを有する部位に隣接して、ゆとりを有する部位を構成する生地Ａの１．１倍以上の目付けを有し、かつ４ｃｍ２以上の面積を有する生地Ｂが配されていることが好ましい。
本発明の衣服において、衣服が、上半身の一部を少なくとも覆う衣服であることが好ましい。
【発明の効果】
【０００８】
本発明によれば、換気を促進し衣服内部の温度や湿度を効果的に低減可能な衣服が得られる。
【図面の簡単な説明】
【０００９】
【図１】本発明の衣服の一例を模式的に示す図である。
【図２】本発明の衣服の他の例を模式的に示す図である。
【図３】本発明の衣服の他の例を模式的に示す図である。
【図４】本発明の衣服の他の例を模式的に示す図である。
【発明を実施するための形態】
【００１０】
以下、本発明の実施の形態について詳細に説明する。
まず、本発明の衣服は、２箇所以上の通気部を備えている。ここで、通気部の箇所数は２箇所以上（より好ましくは２箇所）であることが肝要である。該箇所数が１箇所以下の場合、衣服内部で十分な換気が行われないおそれがあり好ましくない。特に、通気部が、着丈方向に互いに異なる位置に２箇所形成されており、かつこれら通気部同士の間隔が１５ｃｍ以上（より好ましくは２０〜４０ｃｍ）であると、衣服を着用した際に下方に位置する通気部が吸気口となり、一方上方に位置する通気部が排気口となって煙突効果により衣服内部で十分な換気が行われ好ましい。該間隔が１５ｃｍよりも小さい場合、煙突効果が低下し、十分な放熱が行われないだけでなく、対流スペースも減少することから、下記のふいご作用による放熱も低下するおそれがある。なお、通気部同士の間隔は、一方通気部の中心点から他方通気部の中心点までの直線距離を測定するものとする。
【００１１】
前記通気部の大きさとしては、衣服内部の換気を促進する上で、着巾方向の長さが５〜５０ｃｍの範囲内であることが好ましく、着丈方向の長さが０．５ｃｍ〜２５ｃｍ（より好ましくは１〜１５ｃｍ）であることが好ましい。着巾方向の長さが５ｃｍ未満の場合または着丈方向の長さが１ｃｍ未満の場合、衣服内部の換気が十分行われないおそれがある。逆に、着巾方向の長さが５０ｃｍよりも大きい場合または着丈方向の長さが２５ｃｍよりも大きい場合、着用者が静止した状態でも十分衣服内部の換気が行われるため、着用者が動いた際の清涼感を体感することが難しくなるおそれがある。
ここで、着丈方向および着巾方向の長さとは、衣服を平面上に拡げて、無荷重で放置した際に計測できる長さを意味する。
【００１２】
前記通気部において、通気度が５０ｃｃ／ｃｍ２／ｓｅｃよりも大きいことが肝要である。より好ましくは２６０〜５００ｃｃ／ｃｍ２／ｓｅｃである。該通気度が５０ｃｃ／ｃｍ２／ｓｅｃ以下の場合、衣服内部で十分な換気が行われないおそれがあり好ましくない。一方、前記通気部以外の部位においては、通気度が前記通気部より小さくかつ２０〜３５０ｃｃ／ｃｍ２／ｓｅｃの範囲内であることが好ましい。
前記通気部は開口部（貫通孔）であってもよいし、通気度が５０ｃｃ／ｃｍ２／ｓｅｃよりも大きい生地（通気部用生地）で構成されていてもよい。
また、前記通気部の形状としては特に限定されず、長方形、楕円、三角、ひし形、円、台形、または曲線からなるこれらの形状などが例示される。
【００１３】
本発明の衣服において、２箇所以上の通気部から選択されるいずれか２箇所の通気部の間に位置する部位がゆとりを有することが肝要である。２箇所の通気部の間に該生地Ａが配されることにより、着用者が動いた際に該生地Ａが振動し、ふいご作用により、一方の通気部から他方の通気部へと肌表面の対流（換気）が促進され、その結果、衣服内部の温度や湿度を効果的に低減することが可能となる。
【００１４】
ここで、「ゆとり」とは、「服飾事典」（１９７１年５月２０日発行、同文書院発行）に記載されているように「運動量のためにとっておくゆるみ」のことであり、タックやギャザーなどが例示される。例えば、パターン設計や、衣服に開口部を形成した後に該開口部に生地を縫製などにより取り付ける際、生地の着丈方向もしくは着幅方向、またはその両方が開口部の長さよりも大とすることによりゆとりを設けることができる。
【００１５】
その際、着巾方向または着丈方向において、ゆとり量（ゆとりを有する部位の拡布寸法／ゆとりを有する部位の取付寸法）の最大値が１．１倍以上（より好ましくは１．２〜１．５倍）であると、着用者が動くことによりゆとりを有する部位が振動しふいご作用により肌表面の対流（換気）が促進され、その結果、衣服内部の温度や湿度を効果的に低減することが可能となり好ましい。なお、ゆとりが無い場合、ゆとり量（ゆとりを有する部位の拡布寸法／ゆとりを有する部位の取付寸法）は１倍となる。
【００１６】
また、ゆとりを有する部位を構成する生地Ａにおいて、目付けが２５０ｇ／ｍ２以下（より好ましく１５０ｇ／ｍ２以下、特に好ましくは５０〜１２０ｇ／ｍ２）の生地で構成されていると、該生地が振動しやすくなりふいご作用による換気が促進され好ましい。該目付けが２５０ｇ／ｍ２よりも大きいと、着用者が動いた際にゆとりを有する部位（生地Ａ）の追従性が悪くなり、ふいご作用による肌表面の対流（換気）が低下するおそれがある。
【００１７】
また、前記生地Ａにおいて、ＪＩＳ  Ｌ１０１８  ４５度カンチレバー法で測定した剛軟性が経緯平均値で１０ｍｍ以上（より好ましくは１５ｍｍ以上、特に好ましくは２０〜４０ｍｍ）であると、ふいご作用による肌表面の対流（換気）が発生しやすく好ましい。剛軟性が経緯平均値で１０ｍｍ未満の場合、生地Ａが柔らかすぎることにより対流スペース内の空気を押し出すことができないおそれがある。
【００１８】
本発明の衣服において、前記通気部またはゆとりを有する部位に隣接して、ゆとりを有する部位を構成する生地Ａの１．１倍以上（より好ましくは１．５〜５．０倍）の目付けを有し、かつ４ｃｍ２以上（より好ましくは４〜１００ｃｍ２）の面積を有する生地Ｂが配されていると、着用者が動く際のかかる生地Ｂがウエイトの役目を果たし、前記生地Ａの振動を促進し、衣服内部の温度や湿度を効果的に低減することが可能となり好ましい。
【００１９】
本発明の衣服において、通気部を生地で構成する場合の通気部用生地、前記生地Ａ、前記生地Ｂまたはこれら以外の部位に用いられる生地を構成する繊維としては特に限定されず、木綿、ウール等の天然繊維、セルロース系繊維、アクリル系、ポリオレフィン系、ポリ塩化ビニル系、ポリエステル系の合成繊維等が例示される。ポリエステル系繊維としては、ポリエチレンテレフタレート、ポリトリメチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、ポリ乳酸（ＰＬＡ）、ステレオコンプレックスポリ乳酸やこれらの共重合体からなるものが例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。繊維中には、本考案の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２０】
前記繊維の形態は特に限定されず、長繊維（マルチフィラメント）でもよいし、短繊維でもよい。その際、前記繊維を単独で用いてもよいし、複数の繊維を用いて例えば混綿してもよい。
【００２１】
また、前記の生地の布帛組織は特に限定されず、編物、織物、不織布などいずれでもよい。なかでも、前記の通気度を得る上で編物または織物が好ましい。特に編物が好ましい。例えば、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。なお、これらの織物や編物は常法により製造することができる。
また、前記生地には、通常の染色加工、減量加工、起毛加工、撥水加工、カレンダー加工、エンボス加工、蓄熱加工、吸汗加工、マイナスイオン加工などの後加工剤を、本考案の目的が損なわれない範囲内で適宜施してもよい。
【００２２】
本発明の衣服において、通気度が５０ｃｃ／ｃｍ２／ｓｅｃよりも大きい通気部が２箇所以上備えられており、かついずれか２箇所の通気部の間に位置する部位がゆとりを有するので、着用者が動いた際に該部位が振動し、ふいご作用により、一方の通気部から他方の通気部へと肌表面の対流（換気）が促進され、その結果、衣服内部の温度や湿度を効果的に低減することが可能となる。
【００２３】
なお、本発明の衣服は身体に着用する衣類や服飾品（帽子、サポーター、手袋など）を含むものであるが、上半身の一部を少なくとも覆う衣服（下着、アウター衣服、スポーツ衣服など）であると、着用者が優れた清涼感を感じることができ好ましい。その際、前記通気部、生地Ａ、生地Ｂなどは背部に配されていることが好ましい。
【実施例】
【００２４】
以下、実施例をあげて本発明を詳細に説明するが、本発明はこれらによって何ら限定されるものではない。
（１）対流放熱効果
ＩＳＯ１５８３１『衣服−生理学的効果−サーマルマネキンによる保温（断熱）性の測定』に準拠した歩行型サーマルマネキン（京都電子社製、１９分割タイプ）を用いて、測定環境やマネキンの熱制御、歩行制御条件等はＩＳＯ１５８３１にてコントロールし、各部位の投入電力量を静止時と歩行時にて計測した。計測したデータは、背部での投入電力について、歩行時投入電力量と静止時投入電力の差をもって、ふいご作用（換気促進による放熱効果）とした。歩行時の背部放熱量と静止時の背部放熱量との差が１０Ｗ／ｍ２以上であれば放熱性良好と判定した。
（２）通気度
ＪＩＳ  Ｌ１０９６  ６．２７通気性Ａ法（フラジール法）により通気度（ｃｃ／ｃｍ２／ｓ）を測定した。
（３）剛軟性
ＪＩＳ  Ｌ１０１８  ４５度カンチレバー法で測定した剛軟性の経緯平均値を算出した。
【００２５】
［実施例１］
市販の半袖丸首シャツ（ポリエチレンテレフタレートマルチフィラメント総繊度１５７ｄｔｅｘ／７２フィラメント１００％、目付けが１５４ｇ／ｍ２、通気度が１５３ｃｃ／ｃｍ２／ｓ）の背部に、吸気口として、着丈方向に５ｃｍ、着巾方向に３０ｃｍの長方形の形をした通気部（ポリエチレンテレフタレートマルチフィラメント総繊度８４ｄｔｅｘ／３６フィラメント１００％からなる編地、目付け１００ｇ／ｍ２、通気度３００ｃｃ／ｃｍ２／ｓを使用）を衿元から裾方向に４２ｃｍ（第２頸椎から４４ｃｍ）の位置に配置した。また、当該半袖丸首シャツに、排気口として、着丈方向に１ｃｍ、着巾方向に１５ｃｍの長方形の形をした通気部（吸気口用通気部と同様の生地を使用）を衿元から裾方向１５ｃｍ（第２頸椎から１７ｃｍ）の位置に配置した。吸気口と排気口との距離は着丈方向に２７ｃｍであった。
一方、ゆとりを有する部位を構成する生地Ａとして、目付けが１１０ｇ／ｍ２、剛軟性が２４ｍｍの、ポリエチレンテレフタレートマルチフィラメント総繊度１１０ｄｔｅｘ／４８フィラメント１００％からなる編地を用意した。
次いで、前記吸気口と排気口との間に開口部を形成した後、図２に模式的に示すように該開口部に前記生地Ａが生地巾にゆとりを有するよう縫製により取り付けた。その際、前記吸気口と排気口との中間点で着巾方向のゆとり量が最大（１．２５倍）となるようパターン設計にて縫製した。
次いで、図２に模式的に示すように、前記生地Ａに隣接するように目付２００ｇ／ｍ２のポリエチレンテレフタレートマルチフィラメント総繊度１５７ｄｔｅｘ／７２フィラメント１００％からなる編地（生地Ｂ）を５ｃｍ×５ｃｍ（面積２５ｃｍ２）のサイズで縫い付けて衣服を得た。
該衣服をマネキンに着用させ、ズボンはポリエステル繊維１００重量％市販ズボンを着用させた。結果、静止時の背部放熱量は８５．４Ｗ／ｍ２、歩行時の背部放熱量は１０１．０Ｗ／ｍ２で、対流放熱効果は１５．６Ｗ／ｍ２と優れた放熱性を有していた。
【００２６】
［実施例２］
実施例１において、生地Ｂを取り外したこと以外は実施例１と同様にした。結果、静止時の背部放熱量は８５．２Ｗ／ｍ２、歩行時の背部放熱量は９９．０Ｗ／ｍ２で、対流放熱効果は１３．８Ｗ／ｍ２と、実施例１で得られた衣服より少し劣るものの優れた放熱性を有していた。
【００２７】
［比較例１］
実施例１で使用した市販の半袖丸首シャツ（通気部や生地Ａが配されていないそのままのシャツ）をマネキンに着用させ、評価を実施した。結果、静止時の背部放熱量は８０．６Ｗ／ｍ２、歩行時の背部放熱量は８７．２Ｗ／ｍ２で、対流放熱効果は６．６Ｗ／ｍ２と低い放熱性を示した。
【００２８】
［比較例２］
実施例２で使用したウェアにおいて、吸気口と排気口との間に配された生地Ａにゆとりを設けない（すなわちゆとり量１倍）こと以外は実施例２と同様にして衣服を得た。結果、静止時の背部放熱量は８１．２Ｗ／ｍ２、歩行時の背部放熱量は８８．２Ｗ／ｍ２で、対流放熱効果は７．０Ｗ／ｍ２と低い放熱性を示した。
【産業上の利用可能性】
【００２９】
本発明によれば、換気を促進し衣服内部の温度や湿度を効果的に低減可能な衣服が提供され、その工業的価値は極めて大である。
【符号の説明】
【００３０】
１：衣服
２：通気部
３：ゆとりを有する部位を構成する生地Ａ
４：衣服
５：通気部
６：ゆとりを有する部位を構成する生地Ａ
７：生地Ａに隣接して配置された生地Ｂ
８：衣服
９：通気部
１０：ゆとりを有する部位を構成する生地Ａ
１１：衣服
１２：通気部
１３：ゆとりを有する部位を構成する生地Ａ
【図１】
0005603450.tif 000002
【図２】
0005603450.tif 000003
【図３】
0005603450.tif 000004
【図４】
0005603450.tif 000005